(57)【要約】【課題】表示の劣化を防止しつつ、消費電力を抑制できる表示装置を提供すること。【解決手段】本発明の表示装置は、電気泳動素子を有する表示パネル３０と、表示パネル３０の表示を制御する駆動制御手段４０とを備える。駆動制御手段４０は、表示パネル３０に表示する表示データの表示倍率によって表示パネル３０のリフレッシュ時間間隔を変更する。表示倍率が小さい場合は、画像を構成する線のコントラストの低下により表示の劣化が生じやすい。このため、リフレッシュ時間間隔を短くすることで表示の劣化を防止できる。一方、表示倍率が大きい場合は、画像を構成する線が太いので表示は劣化し難い。このため、リフレッシュ時間間隔を長くすることで消費電力を低減できる。本発明は、表示内容に応じてリフレッシュ時間間隔を変更するため、表示品質を維持できる範囲で最小限の電力消費にできる。【選択図】図２
2009300478.tif 000002
【特許請求の範囲】
【請求項１】
電気泳動素子を有する表示パネルと、この表示パネルに表示データを表示させる制御を実施する駆動制御手段とを備える表示装置であって、
前記駆動制御手段は、前記表示パネルに表示する前記表示データの表示倍率を判別し、その表示データの表示倍率に応じて前記表示パネルのリフレッシュ時間間隔を変更する
ことを特徴とする表示装置。
【請求項２】
請求項１に記載の表示装置において、
前記駆動制御手段は、
前記表示データの表示倍率が、予め設定された所定倍率である場合には、予め設定された所定時間間隔である第１リフレッシュ時間間隔で表示を更新し、前記表示倍率が前記所定倍率よりも大きい場合には、時間間隔が長い第２リフレッシュ時間間隔で表示を更新し、前記表示倍率が前記所定倍率よりも小さい場合には、時間間隔が短い第３リフレッシュ時間間隔で表示を更新する
ことを特徴とする表示装置。
【請求項３】
請求項１または請求項２に記載の表示装置において、
前記駆動制御手段は、前記表示パネルに、前記表示データとともに、前記表示データの表示倍率およびリフレッシュ時間間隔を表示させる
ことを特徴とする表示装置。
【請求項４】
請求項１ないし請求項３のいずれかに記載の表示装置において、
前記駆動制御手段は、前記表示パネルに、前記表示データとともに、この表示データの名称を表示させる
ことを特徴とする表示装置。
【請求項５】
請求項１ないし請求項３のいずれかに記載の表示装置において、
前記表示データは、地紋である
ことを特徴とする表示装置。
【請求項６】
請求項１ないし請求項３のいずれかに記載の表示装置において、
前記表示データは、カレンダ表示である
ことを特徴とする表示装置。
【請求項７】
請求項１ないし請求項３のいずれかに記載の表示装置において、
前記表示データは、地図情報である
ことを特徴とする表示装置。
【請求項８】
電気泳動素子を有する表示パネルを備える表示装置における表示方法であって、
表示パネルに表示する表示データの表示倍率を判別し、その表示データの表示倍率によって表示パネルのリフレッシュ時間間隔を変更する
ことを特徴とする表示方法。
【発明の詳細な説明】
【技術分野】
【０００１】
本発明は、表示装置および表示方法に関する。
【背景技術】
【０００２】
近年、ＥＰＤ(Electrophoretic Display)等の電気泳動方式の表示装置が利用されている。この電気泳動表示装置は、電力供給を継続しなくても所定時間、表示を継続できるメモリー性の表示デバイスであり、いわゆる電子ペーパーと呼ばれるものである。
この電気泳動表示装置として、異なる書換え間隔で書き換えられる２種以上の表示単位、例えば、時計における、月、日、時、分、秒の表示単位毎に異なる電圧を印加するものが知られている（特許文献１参照）。
この特許文献１の電気泳動表示装置は、書換え間隔がより長い表示単位を表示する電気泳動素子に、より高い電圧を印加することで、残像を抑制しつつ、不要な電力消費も抑えていた。
【０００３】
【特許文献１】特開２００７−６５２５８号公報
【発明の開示】
【発明が解決しようとする課題】
【０００４】
しかしながら、このような制御を行った場合でも、表示が劣化する場合があった。すなわち、電気泳動表示装置では、電圧を印加して黒や白に着色された電気泳動粒子を移動させて表示を制御している。このため、電圧が印加されない状態が長く続くと一部の電気泳動粒子が移動してしまい、特に表示される文字や画像が細密であると、線が細くなる部分の表示が劣化しやすいという問題があった。
【０００５】
そこで、本発明の目的は、表示の劣化を防止しつつ、消費電力を抑制できる表示装置および表示方法を提供することにある。
【課題を解決するための手段】
【０００６】
本発明の表示装置は、電気泳動素子を有する表示パネルと、この表示パネルに表示データを表示させる制御を実施する駆動制御手段とを備える表示装置であって、前記駆動制御手段は、前記表示パネルに表示する前記表示データの表示倍率を判別し、その表示データの表示倍率に応じて前記表示パネルのリフレッシュ時間間隔を変更することを特徴とする。
【０００７】
また、本発明の表示方法は、電気泳動素子を有する表示パネルを備える表示装置における表示方法であって、表示パネルに表示する表示データの表示倍率を判別し、その表示データの表示倍率によって表示パネルのリフレッシュ時間間隔を変更することを特徴とする。
【０００８】
これらの発明によれば、表示データの表示倍率に基づいて、リフレッシュ時間間隔を変更するので、表示パネルに表示される表示データの表示劣化を防止できる。
すなわち、表示データの表示倍率が小さい場合、表示データの画像を構成する線が細かくなり、表示される画像のコントラストの低下などにより、表示劣化や表示品質に影響を与えやすい。このため、リフレッシュ時間間隔を短くすることで、コントラストの低下を抑え、表示の劣化を防止でき、表示データの表示品質を維持できる。
一方、表示データの倍率が大きい場合、表示データの画像を構成する線が太くなるため、コントラストの低下などによる表示劣化や表示品質に影響を与えにくい。このため、リフレッシュ時間間隔を長くしても、表示データの表示品質を維持することができる。また、リフレッシュ動作回数が少なくなるので、リフレッシュ動作に要する電力も抑えられ、消費電力を低減できる。
従って、本発明は、表示データの表示倍率に応じて、表示倍率が大きい場合にはリフレッシュ時間間隔を長くし、表示倍率が小さい場合にはリフレッシュ時間間隔を短くすることで、表示品質を維持できる範囲で、最小限の電力消費とすることができる。
【０００９】
また、前記駆動制御手段は、前記表示データの表示倍率が、予め設定された所定倍率である場合には、予め設定された所定時間間隔である第１リフレッシュ時間間隔で表示を更新し、前記表示倍率が前記所定倍率よりも大きい場合には、時間間隔が長い第２リフレッシュ時間間隔で表示を更新し、前記表示倍率が前記所定倍率よりも小さい場合には、時間間隔が短い第３リフレッシュ時間間隔で表示を更新することが好ましい。
【００１０】
ここで、標準の表示倍率の表示データとしては、例えば１．０倍などといった所定倍率の表示データであってもよく、例えば０．５倍〜１．５倍などといった所定範囲内の表示倍率である表示データであってもよい。
この発明では、表示データの表示倍率が所定倍率より大きい場合、表示データを構成する線も太くなるため、コントラストの低下などにより境界がぼやけたとしても、線全体がぼやけることがなく、表示劣化の影響を大きく受けることがない。したがって、時間間隔が長い第２リフレッシュ時間間隔でリフレッシュ動作を実施しても、表示データの表示品質の劣化が抑えられる。また、リフレッシュ動作では表示パネルに対して電力を印加することで実施されるが、リフレッシュ時間間隔を長くすることで、この電力印加タイミングの間隔が長くなるため、消費電力を低減できる。
一方、表示データの表示倍率が所定倍率よりも小さい場合、表示データを構成する線の太さが細くなり、例えばコントラストの低下などにより線の境界がぼやけるなどすると、表示データの品質が低下してしまう。したがって、時間間隔が短い第３リフレッシュ時間間隔によってリフレッシュ動作を実施することで、コントラストの低下によって表示データがぼやけるなどの不都合を防止することができ、表示品質を良好に維持することができる。
【００１１】
また、本発明の表示装置では、前記駆動制御手段は、前記表示パネルに、前記表示データとともに、前記表示データの表示倍率およびリフレッシュ時間間隔を表示させることが好ましい。
【００１２】
この発明によれば、表示パネルに表示データだけでなく、その表示データの表示倍率とリフレッシュ時間間隔が表示される。したがって、表示装置を使用する利用者が表示パネルに表示される表示データの表示倍率と、この倍率に対するリフレッシュ時間間隔を容易に確認することができる。よって、利用者は、表示パネルに表示させる表示データを、これらの表示倍率やリフレッシュ時間間隔を確認しながら選択することができ、利用者による表示データの選択を良好に支援することができる。
【００１３】
さらに、前記駆動制御手段は、前記表示パネルに、前記表示データとともに、この表示データの名称を表示させる制御をすることが好ましい。
【００１４】
この発明によれば、表示パネルに表示データだけでなく、その表示データの名称が表示される。したがって、表示装置を使用する利用者が表示パネルに表示される表示データと、この表示データの名称とを容易に確認することができる。よって、利用者は、表示データの名称と、その名称に対する表示データを確認しながら、表示パネルに表示させる表示データを選択することができ、利用者による表示データの選択を良好に支援することができる。
【００１５】
そして、本発明の表示装置では、前記表示データは、地紋であることが好ましい。
ここで、地紋とは、意匠性を向上させるためにデザインされた模様である。表示パネルにこのような地紋を表示させることで、表示装置自体の意匠性を向上させることができる。また、地紋の表示倍率に基づいてリフレッシュ時間を変更することで、地紋の倍率が小さい場合でも、表示品質を良好に維持することができる。また、地紋の表示倍率が大きい場合では、リフレッシュ時間が長くすることで、消費電力を抑えることができる。
【００１６】
また、本発明の表示装置では、前記表示データは、カレンダ表示である構成としてもよい。
この発明によれば、表示パネルにカレンダ表示をさせる。このとき、カレンダ表示の表示倍率に応じてリフレッシュ時間を変更することで、上記発明と同様に、カレンダ表示の表示倍率が小さい場合でも良好な表示品質を維持することができ、カレンダ表示の表示倍率が大きい場合では、消費電力を低減させることができる。
【００１７】
さらに、本発明の表示装置では、前記表示データは、地図情報である構成としてもよい。
この発明によれば、表示パネル内に地図情報を表示させる。ここで、例えば時間信号が含まれる標準電波を受信し、この受信信号に基づいて時刻を設定して表示させる時計に本発明の表示装置を用いる場合では、標準電波の種類により、現在表示されている時刻がどこの地域の時刻であるかを地図情報上に表示させるなどの処理を実施してもよい。また、例えば利用者の手動操作により、所定地域の時刻を表示させる処理を実施させた場合、この所定地域に対応する地図情報を表示させるなどの構成としてもよい。さらには、例えばＧＰＳ時計などでは、現在位置を地図情報上で表示させるなどさせてもよい。
このような表示装置でも、地図情報の表示倍率に応じて、リフレッシュ時間を変更することで、表示倍率が小さい場合では、リフレッシュ時間が短い良好な表示品質の地図情報を表示させることができ、表示倍率が大きい場合では、リフレッシュ時間を長くして、消費電力を低減させることができる。
【発明の効果】
【００１８】
本発明によれば、表示データの表示倍率に応じてリフレッシュ時間を適宜変更しているので、表示劣化を防止でき、かつ、消費電力も抑制できる。
【発明を実施するための最良の形態】
【００１９】
以下、本発明の実施形態について図面を参照して説明する。
なお、以降の実施形態以降の説明に関し、第１実施形態と同様の構成については、同一符号を付して、説明を省略もしくは簡略化する。
【００２０】
〔第１実施形態〕
本発明の第１実施形態を図１〜図１４を参照して説明する。
［１．全体構成］
図１は、本実施形態の表示装置としての電子時計１（以降、時計１と称す）の正面図である。この時計１は、矩形環状のケース２と、表示モジュール３とを備える。また、ケース２には、リューズ５、ボタン６，７が設けられている。また、この時計１は、秒針１１、分針１２、および時針１３を備え、図示しない指針駆動機構により運針制御されている。
【００２１】
［２．表示モジュールの構成］
表示モジュール３は、図２に示すように、表示パネル３０と、この表示パネル３０を駆動するとともに計時部を備える駆動制御手段４０とを有して構成される。
【００２２】
［３．駆動制御手段の構成］
駆動制御手段４０は、電源４１と、時計１全体を制御するコントローラ４２と、ドライバＩＣから構成されて表示パネル３０の表示制御を実行する駆動回路４３と、リューズ５やボタン６，７の操作を検出する検出回路４４と、水晶発振回路を備えて時刻を計時する計時部４５とを備える。
コントローラ４２は、駆動回路４３を制御するものであり、図示しない画像信号処理回路やタイミングジェネレータを備えて構成されている。コントローラ４２は、表示パネル３０に表示させる画像や文字を示す表示データや、表示を維持するためのリフレッシュデータなどを生成し、駆動回路４３に出力する。
【００２３】
駆動回路４３は、コントローラ４２から出力される信号に基づいて表示パネル３０を制御する。本実施形態では、後述するように表示パネル３０は、アクティブマトリックス駆動であり、各画素を駆動するためのＴＦＴ回路を備えている。
このため、駆動回路４３は、ＴＦＴ回路の走査線に所定の走査線信号を出力する走査線駆動回路４３１と、ＴＦＴ回路のデータ線に所定のデータ線信号を出力するデータ線駆動回路４３２とを備えている。
【００２４】
なお、コントローラ４２は、表示パネル３０に表示する表示データの表示倍率を、ボタン操作によって変更する機能も備えている。
また、コントローラ４２には、複数の表示データが記録される記録手段が設けられている。この記憶手段には、図１に示されるような縦ストライプ画像、図３から図９に示すような複数の表示データが記憶されている。図３は、表示データの一例である横ストライプ画像である。図４は、表示データの一例である水玉画像である。図５は、表示データの一例であるダイヤ画像である。図６は、表示データの一例である波型地紋である。図７は、表示データの一例であるカード型地紋である。図８は、表示データの一例であるつる型地紋である。図９は、表示データの一例である花型地紋である。なお、本実施形態では、表示データとして、上記したような時計の表示パネルを装飾してデザイン性を向上させる、いわゆる地紋を例示するが、その他の装飾や文字などにより構成される画像を用いてもよい。
また、記憶手段に記憶される各表示データとして、表示倍率が標準である標準表示データ、この標準表示データの表示倍率を大きくした拡大表示データ、および標準表示データの表示倍率を小さくした縮小表示データが記憶されている。
さらに、これらの標準表示データ、拡大表示データ、および縮小表示データは、それぞれ表示倍率データや、表示データのデータ名称などに関する各種データが関連付けられて記憶手段に記憶されている。例えば、標準表示データに関連付けられる表示倍率データには、表示倍率が１．０倍、拡大表示データに関連付けられる表示倍率データには、表示倍率が２．０倍、縮小表示データに関連付けられる表示倍率データには、表示倍率が０．５倍である旨が記録される。データ名称としては、例えば、図１に対応した画像に対応した「縦ストライプ」、図３に示すような画像に対応した「横ストライプ」、図４に示すような画像に対応した「水玉」、図５に示すような画像に対応した「ダイヤ」、図６に示すような画像に対応した「波型」、図７に示すような画像に対応した「カード型」、図８に示すような画像に対応した「つる型」、図９に示すような画像に対応した「花型」などといったデータ名称（地紋名称）などが記録される。
【００２５】
そして、本実施形態では、図１、および図３から図９に示すような表示データ（縦ストライプ、横ストライプ、水玉、ダイヤ、波型地紋、カード型地紋、つる型地紋、花型地紋などの表示データ）などから、利用者の操作により利用者が所望する表示データを選択することができる。また、上記したように、これらの表示データには、それぞれ表示倍率の異なる標準表示データ、拡大表示データ、縮小表示データがあり、これらの表示倍率を選択することができる。
そして、選択された表示データの表示倍率によってリフレッシュ時間間隔が設定される。
リフレッシュ時間間隔が標準である場合、長い場合および短い場合の具体的な時間は、表示倍率に応じて設定すればよいが、本実施形態では、リフレッシュ時間間隔が長い場合は２０時間、短い場合は５時間、標準の場合は１０時間とされている。すなわち、リフレッシュ時間間隔が長い場合は、２０時間に１回リフレッシュ動作が行われ、短い場合は５時間に１回リフレッシュ動作が行われ、標準の場合では１０時間に１回リフレッシュ動作が行われる。
【００２６】
［４．表示パネルの構成］
表示パネル３０は、図１０に示すように、表面側から表面ガラス３１、共通電極３２、電気泳動層３３、画素電極３４、ＴＦＴ回路層３５、裏面ガラス３６が積層されて構成されている。なお、表面ガラス３１および裏面ガラス３６は、透明なガラスに限らず、透明な樹脂で構成してもよい。
ＴＦＴ回路層３５には、図２に示すような前記走査線駆動回路４３１、走査線駆動回路４３１で駆動されるＴＦＴ回路が構成されている。ＴＦＴ回路層３５は、図示略のスイッチイング用のトランジスタや保持容量などが設けられている。そして、各トランジスタは、画素毎に設けられた画素電極３４に接続されている。
【００２７】
一方、共通電極３２は、ＩＴＯ（Indium Tin Oxide）などによる透明な電極材で構成されている。この共通電極３２は、表示パネル３０の略全体にわたって設けられている。すなわち、画素電極３４は、表示パネル３０の画素毎に設けられているが、共通電極３２は各画素に対して共通なものとされている。
【００２８】
電気泳動層３３は、共通電極３２に接着された複数のマイクロカプセル３３０を備えている。マイクロカプセル３３０は、図１１にも示すように、多数の帯電粒子が分散した電気泳動粒子分散液が封入されている。電気泳動粒子分散液には、黒色の電気泳動粒子（以下、黒粒子という）３３１と、白色の電気泳動粒子（以下、白粒子という）３３２とが分散され、二色の粉体流体方式の電気泳動層が構成されている。これら黒粒子３３１および白粒子３３２は、互いに異なる極性に帯電しており、本実施形態では、黒粒子３３１がマイナス（負）に帯電し、白粒子３３２がプラス（正）に帯電している。
【００２９】
なお、本実施形態では、マイクロカプセル３３０の直径は約３０μｍ（０．０３ｍｍ）であり、黒粒子３３１の直径は１０〜３０ｎｍ、白粒子３３２の直径は１００〜３００ｎｍである。
また、図１０に示すように、画素電極３４の幅寸法Ｌ１は約０．０９ｍｍ、画素電極３４間のギャップの幅寸法Ｌ２は約０．０１ｍｍである。
【００３０】
なお、表示パネル３０の側面は、表面ガラス３１および裏面ガラス３６に跨って設けられるシール剤などでシールされている。この表面ガラス３１、裏面ガラス３６およびシール剤によって、電気泳動層３３等は密封されている。
【００３１】
［５．電気泳動による表示］
各マイクロカプセル３３０の黒粒子３３１および白粒子３３２は、共通電極３２および画素電極３４間に電位差を生じさせることで電気泳動が行われ、表面ガラス３１側から見た場合に各マイクロカプセル３３０の表示色が変化する。
すなわち、画素電極３４がローレベル電位（Ｌ電位、図１０では「−」と表示）であり、共通電極３２がハイレベル電位（Ｈ電位）の場合、その電位差によって共通電極３２から画素電極３４に向かう電界が発生し、正に帯電した白粒子３３２が画素電極３４側に移動するとともに、負に帯電した黒粒子３３１が共通電極３２側に移動する。このため、共通電極３２の電位に比べて画素電極３４の電位が低い部分は、表面ガラス３１側から視認した場合、黒色表示となる。
【００３２】
この黒色表示の場合とは逆に、画素電極３４をハイレベル電位（Ｈ電位、図１０では「＋」と表示）とし、共通電極３２をローレベル電位（Ｌ電位）に切り替えた場合、電界の向きが逆転し、表示パネル３０における表示は白色となる。
また、黒粒子３３１、白粒子３３２の移動量を電圧の印加時間に応じて調整することにより、黒と白との間の色階調の中間色表示も可能となっている。
なお、電界印加が停止されると、黒粒子３３１，白粒子３３２の移動も止まり、そのままの表示色が保持される。但し、長時間電圧印加が停止されると、一部の粒子が移動してしまい、特に画像や文字の細密部分の表示が劣化する。
【００３３】
［６．表示パネルの駆動工程］
次に、表示パネル３０の駆動工程を図１２のフローチャートに基づいて説明する。
コントローラ４２は、まず表示パネル３０に表示する表示データを設定する（ステップＳ１）。
各表示データは、利用者がリューズ５やボタン６，７を操作することで選択され、コントローラ４２は検出回路４４から出力される操作信号に基づいて、選択された表示データを判別して設定する。このとき、コントローラ４２は、選択されている表示データのデータ名称を表示パネル３０の例えば下端部に設けられる名称表示窓３７（図１、図１３，図１４参照）に表示させる。
【００３４】
次に、コントローラ４２は、ステップＳ１において選択された表示データを、表示パネル３０上に表示させるための表示倍率を設定する。これには、ステップＳ１と同様に、利用者がリューズ５やボタン６，７を操作することで表示倍率が選択され、コントローラ４２は検出回路４４から出力される操作信号に基づいて、標準表示データ、拡大表示データ、および縮小表示データから選択された表示倍率に対応する表示データを設定する（ステップＳ２）。
【００３５】
コントローラ４２は、このステップＳ２で選択された表示倍率に対応するリフレッシュ時間間隔Ｔｒを設定する（ステップＳ３）。
具体的には、ステップＳ２において、表示倍率が標準である標準表示データが設定された場合、コントローラ４２は、リフレッシュ動作を１０時間に１回行う、つまりリフレッシュ時間間隔Ｔｒを１０時間に設定する。
また、コントローラ４２は、ステップＳ２において、表示倍率が大きい拡大表示データが設定された場合、リフレッシュ動作を２０時間に１回行う、つまりリフレッシュ時間間隔Ｔｒを２０時間（第２リフレッシュ時間間隔）に設定する。
一方、コントローラ４２は、ステップＳ２において、表示倍率が小さい縮小表示データが設定された場合、リフレッシュ動作を５時間に１回行う、つまりリフレッシュ時間間隔Ｔｒを５時間（第３リフレッシュ時間間隔）に設定する。
【００３６】
従って、図１に示すような標準表示データが表示パネル３０に表示される状態では、リフレッシュ時間は標準である１０時間に設定され、図１３に示すような拡大表示データが表示パネル３０に表示される状態では、リフレッシュ時間Ｔｒは標準よりも長い２０時間に設定され、図１４に示されるような縮小表示データが表示パネル３０に表示される状態では、リフレッシュ時間Ｔｒは標準よりも短い５時間に設定される。
【００３７】
次に、コントローラ４２は、リフレッシュ時間間隔を計測するために、経過時間Ｔを「０」に初期化する（ステップＳ４）。
そして、コントローラ４２は、各表示モードに対応した表示処理を行う（ステップＳ５）。例えば、ステップＳ２にて表示倍率が標準と設定された場合では、ステップＳ１にて設定された表示データの表示倍率が標準である標準表示データを読み込み、図１に示すように、表示パネル３０に標準表示データを表示する。また、このとき、コントローラ４２は、表示パネル３０の下端部に名称表示窓３７を表示させ、この名称表示窓３７に表示パネルが設定された日付、表示データに対応するデータ名称、表示データの表示倍率、およびこの表示倍率に対して設定されたリフレッシュ時間間隔Ｔｒを表示させる。なお、名称表示窓３７に表示される日付としては、表示が設定された日付に限らず、例えば現在の日付などであってもよい。ステップＳ１およびＳ２にて、拡大表示データや縮小表示データが選択された場合も同様に、図１３や図１４に示すように、表示パネル３０上に表示倍率が大きい表示データもしくは表示倍率が小さい表示データを表示させる。
【００３８】
次に、コントローラ４２は、時刻表示を開始してからの経過時間Ｔを、計時部４５からの信号に基づいて計測する（ステップＳ６）。
そして、コントローラ４２は、経過時間Ｔがリフレッシュ時間間隔Ｔｒを超えたか否かを判定する（ステップＳ７）。
ここで、経過時間Ｔがリフレッシュ時間間隔Ｔｒを超えていない場合には、コントローラ４２は、表示処理（ステップＳ５）および経過時間計測処理（ステップＳ６）を継続する。
【００３９】
一方、ステップＳ７において、経過時間Ｔがリフレッシュ時間間隔Ｔｒを超えている場合には、コントローラ４２は、リフレッシュ動作を行う（ステップＳ８）。リフレッシュ動作時には、コントローラ４２は、現在表示されている表示データに基づいて電圧を再度印加する。これにより、一旦電圧を共通電極３２、画素電極３４に印加して所望の画像や文字（数字）を表示するように分布させた電気泳動粒子（黒粒子３３１、白粒子３３２）の分布状態を、再度の電圧印加によって安定または維持させることができる。
【００４０】
例えば、図１に示すような標準表示データでは、１０時間毎に更新されるが、図１３に示すような拡大表示データが表示パネル３０に表示された場合では、２０時間経過しないと更新されず、図１４に示すような縮小表示データが表示パネル３０に表示された場合では、５時間毎の頻度で更新される。したがって、表示データの更新時のみ電圧を印加する処理を行うと、拡大表示データが表示される際には、電圧が印加されない期間が長くなり、消費電力の低減が図れ、縮小表示データが表示される際には、短い時間間隔でリフレッシュ動作が行われるため、表示の劣化が防止される。
【００４１】
リフレッシュ動作後、コントローラ４２は、経過時間Ｔを０に初期化する（ステップＳ９）。そして、コントローラ４２は、時刻表示処理（ステップＳ５）および経過時間計測処理（ステップＳ６）を再度実行する。
なお、リューズ５やボタン６，７の操作によって、表示モードが選択状態に移行した場合や、フォント種類やサイズの選択状態に移行した場合は、コントローラ４２はステップＳ１〜Ｓ９の処理を新たに実行する。
【００４２】
上述したように、上記実施形態の電子時計１では、表示パネル３０に表示データを表示させる際に、その表示データの表示倍率に基づいてリフレッシュ時間間隔を設定し、このリフレッシュ時間間隔でリフレッシュ動作を行っている。すなわち、表示倍率が大きい拡大表示データのように、表示画像の線境界におけるコントラストが時間の経過とともに劣化した場合でも表示画像の表示品質が大きく低下しない場合では、リフレッシュ時間間隔を長く設定する。一方、表示倍率が小さい縮小表示データのように、表示画像の線境界におけるコントラストが維持間の経過とともに劣化した場合に表示画像の表示品質が低下してしまう場合では、リフレッシュ時間間隔を短く設定する。
このため、表示倍率が大きい拡大表示データでは、リフレッシュ時間間隔を長くすることで、リフレッシュ動作に伴う電圧印加の頻度を下げることができ、消費電力を低減することができる。一方、表示倍率が小さい縮小表示データでは、リフレッシュ時間間隔を短く設定することで、リフレッシュ動作の頻度を上げることができ、時間経過に伴う表示品質の劣化を防止することができる。
すなわち、本実施形態によれば、表示される表示データの表示倍率に応じてリフレッシュ時間間隔を変更しているので、適正な画像品質を確保できるとともに、無駄なリフレッシュ動作を行うことを防止でき、消費電力も抑制することができる。
【００４３】
また、リフレッシュ時間間隔は、各表示データに関連付けられて記録される表示倍率データに記録される表示倍率に基づいて、この表示倍率が予め設定された標準表示倍率（１．０倍）に対して高い場合には、リフレッシュ時間間隔を大きく設定し、低い場合にはリフレッシュ時間間隔を小さく設定している。
このため、コントローラ４２において、例えば表示倍率に比例したリフレッシュ時間間隔を計算するなどの複雑な演算処理が不要となり、処理負荷も軽減できる。さらに、各表示データは記憶手段に記憶されているため、表示データを表示倍率に応じた倍率に画像処理するなどの動作が不要であり、処理を軽減できる。したがって、処理負荷に伴う電力消費も抑えることができる。
【００４４】
そして、本発明の時計１では、表示パネル３０の下端部に名称表示窓３７を表示させ、この名称表示窓３７に表示データの表示倍率やリフレッシュ時間間隔を表示させている。また、この名称表示窓３７に表示データのデータ名称をも表示させている。
このため、利用者が表示パネル３０上の名称表示窓３７により、容易に表示データの倍率やリフレッシュ時間間隔、データ名称を確認することができる。したがって、利用者は、この表示倍率やリフレッシュ時間間隔を確認しながら表示パネル３０に表示させる表示データを選択するなどの操作ができる。したがって、表示データを選択する際に、より操作しやすくなり、利用者が所望する表示データを適切に選択することができる。
【００４５】
また、記憶手段に記憶される表示データとして、図１、および図３ないし図９に示すような各種地紋が記憶されている。
このような地紋を表示パネル３０に表示させる際でも、表示倍率に応じてリフレッシュ時間間隔を適切に設定できるため、表示された地紋の表示品質が劣化することなく、良好に地紋を表示させることができる。また、このような地紋を表示させることで、時計１の意匠性を向上させることができる。
【００４６】
〔第２実施形態〕
次に、本発明の第２実施形態に係る時計について説明する。
図１５は、第２実施形態に係る時計において、標準カレンダ表示データが表示された状態を示す図である。図１６は、第２実施形態に係る時計において、拡大カレンダ表示データが表示された状態を示す図である。図１７は、第２実施形態に係る時計において、縮小カレンダ表示データが表示された状態を示す図である。
第２実施形態の時計１Ａは、図１５ないし図１７に示すように、表示パネル３０に、カレンダを表示させる。なお、図１５ないし図１７において、時刻を表示させる指針は省略している。
この時計１Ａでは、記憶手段に、図１５のような標準サイズのカレンダに対応した標準カレンダ表示データ、図１６のような表示倍率が大きいカレンダに対応した拡大カレンダ表示データ、図１７のような表示倍率が小さいカレンダに対応した縮小カレンダ表示データが記憶されている。これらのカレンダ表示データにも、第１実施形態と同様に、表示倍率データが関連付けられ、それぞれのカレンダの表示倍率が記録されている。
【００４７】
そして、時計１Ａにおいても、前記実施形態の時計１と同様に、利用者により上述のカレンダ表示データのうち、いずれかのカレンダ表示データが選択されると、そのカレンダ表示データの表示倍率に対応したリフレッシュ時間間隔が設定される。
例えば、利用者により、リューズ５やボタン６，７が操作されることで、表示倍率が標準であるカレンダ表示データが選択されると、図１５に示すような標準サイズのカレンダを表示させるとともに、リフレッシュ時間間隔を第１リフレッシュ時間間隔である例えば１０時間間隔に設定する。一方、表示倍率が大きい拡大カレンダ表示データが選択されると、図１６に示すような表示倍率が大きいカレンダを表示させるとともに、リフレッシュ時間間隔を第２リフレッシュ時間間隔である例えば２０時間間隔に設定する。そして、表示倍率が小さい縮小カレンダ表示データが選択されると、図１７に示すような表示倍率が小さいカレンダを表示させるとともに、リフレッシュ時間間隔を第３リフレッシュ時間間隔である例えば５時間間隔に設定する。
【００４８】
本実施形態によれば、第１実施形態における時計１と同様の効果を奏する。すなわち、表示パネル３０に表示倍率が小さいカレンダが表示される場合では、リフレッシュ時間間隔を短く設定することで、表示品質の劣化を防止して、良好にカレンダを表示させることができる。また表示倍率が大きいカレンダが表示される場合では、リフレッシュ時間間隔を長く設定することで、消費電力を低減させることができる。
【００４９】
〔第３実施形態〕
次に、本発明の第３実施形態に係る時計について説明する。
第３実施形態の時計１Ｂは、図１８および図１９に示すように、表示パネル３０に、地図を表示させる。図１８は、第３実施形態に係る時計において、拡大地図データが表示された状態を示す図である。図１９は、第３実施形態に係る時計において、縮小表示データが表示された状態を示す図である。なお、図１８および図１９において、時刻を表示する指針は省略する。
この時計１Ｂでは、記憶手段に、図１８のような表示倍率が大きく、所定地域を拡大した拡大地図データ、図１９に示すような表示倍率が小さく、広範囲の地域を表示可能な縮小地図データが記憶されている。また、これらの地図データには、第１および第２実施形態と同様に、表示倍率に関する表示倍率データが関連付けられて記憶されている。
【００５０】
また、時計１Ｂは、時刻情報を有する標準電波を受信する図示しないアンテナを備え、受信された標準電波に基づいて時刻を修正する。すなわち、コントローラ４２は、内部時刻をカウントする図示しないカウンタを備え、標準電波から抽出された時刻情報に基づいて、このカウンタにてカウントされる内部時刻を修正する。そして、この修正された内部時刻を表示パネル３０に表示させる。
【００５１】
このとき、コントローラ４２は、利用者のリューズ５やボタン６，７の操作により、例えば拡大地図データを表示させる旨の操作信号が入力されると、現在アンテナにて受信している標準電波の発信元が記録された拡大地図データを選択する。例えば、日本国内で標準電波を受信した場合、図１８に示すような日本国の拡大地図データを表示させる。
一方、利用者のリューズ５やボタン６，７の操作により、例えば縮小地図データを表示させる旨の操作信号が入力されると、コントローラ４２は、現在アンテナにて受信している標準電波の発信位置が含まれる広範囲のエリアが記録された縮小地図データを選択する。例えば、日本国内で標準電波を受信した場合、図１９に示すように、日本国が含まれる縮小地図データを選択し、表示パネル３０に表示させる。なお、コントローラ４２は、縮小地図データに、標準電波の発信位置の地点を例えば点表示させるなどの処理を実施してもよい。
【００５２】
また、この時、時計１Ｂは、選択された地図データの表示倍率に基づいて、前記実施形態の時計１、１Ａと同様に、地図データの表示倍率に対応したリフレッシュ時間間隔が設定さする。
例えば、拡大地図データが選択された場合、図１８に示すような拡大地図を表示させるとともに、リフレッシュ時間間隔を第２リフレッシュ時間間隔である例えば２０時間間隔に設定する。そして、表示倍率が小さい縮小地図データが選択されると、図１９に示すような表示倍率が小さい縮小地図を表示させるとともに、リフレッシュ時間間隔を第３リフレッシュ時間間隔である例えば５時間間隔に設定する。
なお、図１８および図１９において、図には省略しているが、時計１Ｂにおいても、第１実施形態と同様に、秒針１１、分針１２、時針１３が設けられ、指針駆動機構により運針制御されている。
【００５３】
本実施形態によれば、第１および第２実施形態における時計１，１Ａと同様の効果を奏する。すなわち、表示パネル３０に表示倍率が小さい縮小地図データを表示する場合では、リフレッシュ時間間隔を短く設定することで、表示品質の劣化を防止することができる。一方、表示パネル３０に表示倍率が大きい拡大地図データを表示する場合では、リフレッシュ時間間隔を長く設定することで、消費電力の低減を図ることができる。
【００５４】
また、表示パネル３０上に拡大地図データを表示させる際、コントローラ４２は、現在受信している標準電波の発信元に対応した拡大地図データを表示させる。このため、利用者は表示パネル３０に表示される時刻がどの地域に対応する時間であるかを、容易に確認することができるとともに、現在地に対して適切な標準電波の受信モードに設定されているかをも確認することができ、利用者による時計１Ｂの時刻調整操作を良好に支援することができる。
【００５５】
〔本発明の変形例〕
以上、本発明の実施態様について具体的に示したが、前記各実施形態に限らず、本発明はその要旨を逸脱しない範囲で種々の改良、変形が可能である。
【００５６】
第１実施形態では、表示倍率の異なる複数の表示データが記憶手段に予め記憶される例を示したが、例えば利用者の操作により、表示データの表示倍率が入力可能な構成とし、入力された表示倍率に応じて表示データを画像処理する構成としてもよい。この場合でも、入力された表示倍率に応じて、リフレッシュ時間間隔を適宜設定することで、表示品質の維持、および消費電力の低減を実施することができる。
【００５７】
また、表示倍率が標準倍率（例えば１倍）に対して大きい場合、リフレッシュ時間間隔を一律に第２リフレッシュ時間間隔(２０時間)に設定し、表示倍率が標準倍率に対し小さい場合、リフレッシュ時間間隔を一律に第３リフレッシュ時間間隔(５時間)に設定したが、これに限らない。
例えば、コントローラ４２は、表示倍率に比例して変化するリフレッシュ時間間隔を設定する構成としてもよい。このような構成では、表示データの表示倍率に対して、それぞれ最適なリフレッシュ時間間隔を設定することができるため、より適切に表示品質の維持を実施することができる。
さらに、コントローラ４２は、リフレッシュ時間間隔を、第１リフレッシュ時間間隔、第２リフレッシュ時間間隔、および第３リフレッシュ時間間隔のいずれかに設定する構成を示したが、例えば標準倍率を境に、第２リフレッシュ時間間隔および第３リフレッシュ時間間隔のいずれか一方に設定する構成としてもよい。また、表示倍率の大きさにより、例えば４つ以上のリフレッシュ時間間隔のうちからいずれか１つを設定する構成としてもよい。さらに、画像の種類（地紋、カレンダ、地図情報など）に応じて、リフレッシュ時間間隔を変更することも可能である。
【００５８】
また、表示パネル３０に名称表示窓３７を表示させ、この名称表示窓３７に表示倍率、リフレッシュ時間間隔、および名称データを表示させたが、これらのうち、いずれか１つまたは２つを表示させる構成としてもよく、利用者の操作により表示させる情報を選択できる構成などとしてもよい。さらには、名称表示窓３７の表示を選択可能な構成としてもよい。
【００５９】
また、第３実施形態において、標準電波を受信し、その標準電波の種類により地図情報を選択し、表示パネル３０に表示させる構成としたが、これに限らない。例えば、利用者により、所定地域の時刻を表示させる旨の入力操作が行われた際、この所定地域に対応する地図情報を読み込んで表示パネル３０に表示させる構成などとしてもよい。さらには、ＧＰＳ時計などにおいて、現在位置を地図情報上に表示させるなどの処理を実施してもよい。
【００６０】
本発明の表示装置は、表示パネルを有する各種電子機器に広く適用でき、このような機器としては、例えば、ＰＤＡ（Personal Digital Assistants）や、携帯電話機、ディジタルカメラ、ビデオカメラ、プリンタ、パーソナルコンピュータなどを例示できる。
【００６１】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６２】
【図１】本発明の第１実施形態における時計を示す正面図。
【図２】前記実施形態の時計の回路構成を示すブロック図。
【図３】表示データの一例である横ストライプ画像を示す図。
【図４】表示データの一例である水玉画像を示す図。
【図５】表示データの一例であるダイヤ画像を示す図。
【図６】表示データの一例である波型地紋を示す図。
【図７】表示データの一例であるカード型地紋を示す図。
【図８】表示データの一例であるつる型地紋を示す図。
【図９】表示データの一例である花型地紋を示す図。
【図１０】前記実施形態の表示パネルの断面図。
【図１１】前記実施形態のマイクロカプセルを示す模式図。
【図１２】前記実施形態の表示処理工程を示すフローチャート。
【図１３】前記実施形態の拡大表示データが表示された状態の時計を示す正面図。
【図１４】前記実施形態の縮小表示データが表示された状態の時計を示す正面図。
【図１５】本発明の第２実施形態の時計の標準カレンダ表示データが表示された状態を示す正面図。
【図１６】本発明の第２実施形態の時計の拡大カレンダ表示データが表示された状態を示す正面図。
【図１７】本発明の第２実施形態の時計の縮小カレンダ表示データが表示された状態を示す正面図。
【図１８】本発明の第３実施形態の時計の拡大地図データが表示された状態を示す正面図。
【図１９】本発明の第３実施形態の時計の縮小地図データが表示された状態を示す正面図。
【符号の説明】
【００６３】
１，１Ａ，１Ｂ…時計、３０…表示パネル、４０…駆動制御手段、４２…コントローラ、４５…計時部。
【図１】
2009300478.tif 000003
【図２】
2009300478.tif 000004
【図３】
2009300478.tif 000005
【図４】
2009300478.tif 000006
【図５】
2009300478.tif 000007
【図６】
2009300478.tif 000008
【図７】
2009300478.tif 000009
【図８】
2009300478.tif 000010
【図９】
2009300478.tif 000011
【図１０】
2009300478.tif 000012
【図１１】
2009300478.tif 000013
【図１２】
2009300478.tif 000014
【図１３】
2009300478.tif 000015
【図１４】
2009300478.tif 000016
【図１５】
2009300478.tif 000017
【図１６】
2009300478.tif 000018
【図１７】
2009300478.tif 000019
【図１８】
2009300478.tif 000020
【図１９】
2009300478.tif 000021